(57)【特許請求の範囲】
【請求項１】
複数の医療施設において各患者について生成された患者情報を記憶する記憶手段に記憶されている患者情報に対応する患者の中からユーザーが検索対象患者を指定するための指定手段と、
前記記憶手段に記憶されている患者情報に基づいて、前記検索対象患者と他の患者との類似度を算出し、当該算出された類似度に基づいて、前記検索対象患者と類似する類似患者を検索する検索手段と、
前記検索対象患者を表示手段に表示させるとともに、前記類似患者を前記検索対象患者との類似度が高いほど前記検索対象患者の表示位置に近くなるように前記表示手段に表示させ、前記類似患者と前記検索対象患者とを結ぶ線を前記表示手段に表示させる制御手段と、
を備える患者情報表示装置。
【請求項２】
前記制御手段は、前記表示手段に表示されている前記検索対象患者及び前記類似患者の中から選択された患者に対応する患者情報を前記表示手段に表示させる請求項１に記載の患者情報表示装置。
【請求項３】
前記制御手段は、前記類似患者と前記検索対象患者との類似度に応じて、前記類似患者と前記検索対象患者とを結ぶ線の太さ、線種又は色を変更する請求項１又は２に記載の患者情報表示装置。
【請求項４】
前記制御手段は、前記類似患者と前記検索対象患者とを結ぶ線の中から選択された線の両端の患者に対応する患者情報間の差異を前記表示手段に表示させる請求項１から３のいずれか一項に記載の患者情報表示装置。
【請求項５】
前記表示手段に表示されている前記類似患者が前記検索対象患者と同一患者であることをユーザーが指示するための同一患者指示手段を備え、
前記制御手段は、前記同一患者指示手段により、前記類似患者が前記検索対象患者と同一患者であることが指示された場合に、当該類似患者が前記検索対象患者と同一患者であることを示す情報を生成する請求項１から４のいずれか一項に記載の患者情報表示装置。
【請求項６】
前記表示手段に表示されている前記類似患者が前記検索対象患者と別患者であることをユーザーが指示するための別患者指示手段を備え、
前記制御手段は、前記別患者指示手段により、前記類似患者が前記検索対象患者と別患者であることが指示された場合に、当該類似患者が前記検索対象患者と別患者であることを示す情報を生成する請求項１から５のいずれか一項に記載の患者情報表示装置。
【請求項７】
複数の医療施設において各患者について生成された患者情報を記憶する記憶手段に記憶されている患者情報に対応する患者の中からユーザーによる検索対象患者の指定を受け付ける工程と、
前記記憶手段に記憶されている患者情報に基づいて、前記検索対象患者と他の患者との類似度を算出し、当該算出された類似度に基づいて、前記検索対象患者と類似する類似患者を検索する工程と、
前記検索対象患者を表示手段に表示させるとともに、前記類似患者を前記検索対象患者との類似度が高いほど前記検索対象患者の表示位置に近くなるように前記表示手段に表示させ、前記類似患者と前記検索対象患者とを結ぶ線を前記表示手段に表示させる工程と、
を含む患者情報表示方法。
【発明の詳細な説明】
【技術分野】
【０００１】
本発明は、患者情報表示装置及び患者情報表示方法に関する。
【背景技術】
【０００２】
近年、病院や診療所等の医療施設における機能の分化が進み、或る患者の一つの疾病に対する対応（ケアサイクル：検査、診断、治療等）も複数の施設に跨って行われるようになってきている。各施設では、施設毎に独自の識別情報（患者ＩＤ等）で患者を管理しており、地域によっては地域内で一意な地域ＩＤを使用している例があるが、施設あるいは地域に跨った患者の情報を一意に特定するための共通の識別情報は存在しない。マイナンバー（登録商標）や医療等ＩＤが導入されつつあるが、医療に関する実用化の可否や時期等は不明である。
【０００３】
このため、各医療施設で生成された医療情報については、患者の氏名、生年月日、性別等を組み合わせて患者の同一性を判断することになる。
例えば、医療機関での患者に関する医療情報について、ユーザーが指定した項目における一致割合を各患者間で算定し、この一致割合が、項目毎に予め定められた情報一致度を上回る場合に、該当患者ペアは同一人物であるとして該当患者の医療情報を対応付けて出力する医療情報管理システムが提案されている（特許文献１参照）。
【先行技術文献】
【特許文献】
【０００４】
【特許文献１】特開２０１１−２５７８５４号公報
【発明の概要】
【発明が解決しようとする課題】
【０００５】
しかしながら、医療施設毎に患者氏名の表記方法や運用が異なる環境では、コンピューター処理で患者の一致を完全に判断することは不可能であった。例えば、患者同士の氏名と生年月日が一致したからといっても、別人であるおそれもある。また、患者情報の内容が元々間違っている場合もあり、安易に同一人物であると判断してしまうのは危険である。
【０００６】
また、患者を撮影して得られた検査画像の管理においては、カルテ情報等の一般的な医療情報よりも、さらに同一患者の識別に困難を伴う。具体的には、検査機器毎に、患者氏名の扱いが異なる場合が多く、日本国外のベンダーの検査機器の中には、日本語が扱えない機器も存在する。このため、同じ病院内の検査画像間ですら、同一患者に対して、漢字、ひらがな、カタカナ、アルファベット（ローマ字）の患者氏名が混在する。
さらに、患者氏名に旧漢字や外字等の特別な漢字が含まれていたり、漢字をひらがなで記載したりする場合もあるため、日本語表記においては、特に、氏名の一致を判断することが難しい。
【０００７】
また、同一人物であっても氏名や性別が変わる場合もあるため、これらの要素が変わる可能性も考慮する必要がある。このように、各医療施設で生成された患者の情報について、同一患者のものであるか否かを判断する際には、人間の目視による確認が避けられない。
【０００８】
本発明は、上記の従来技術における問題に鑑みてなされたものであって、複数の医療施設において個々に生成された患者情報の中から同一患者のものを判断する際に、安全な患者検索を実現することを課題とする。
【課題を解決するための手段】
【０００９】
上記課題を解決するために、請求項１に記載の発明は、複数の医療施設において各患者について生成された患者情報を記憶する記憶手段に記憶されている患者情報に対応する患者の中からユーザーが検索対象患者を指定するための指定手段と、前記記憶手段に記憶されている患者情報に基づいて、前記検索対象患者と他の患者との類似度を算出し、当該算出された類似度に基づいて、前記検索対象患者と類似する類似患者を検索する検索手段と、前記検索対象患者を表示手段に表示させるとともに、前記類似患者を前記検索対象患者との類似度が高いほど前記検索対象患者の表示位置に近くなるように前記表示手段に表示させ、前記類似患者と前記検索対象患者とを結ぶ線を前記表示手段に表示させる制御手段と、を備える患者情報表示装置である。
【００１０】
請求項２に記載の発明は、請求項１に記載の患者情報表示装置において、前記制御手段は、前記表示手段に表示されている前記検索対象患者及び前記類似患者の中から選択された患者に対応する患者情報を前記表示手段に表示させる。
【００１２】
請求項３に記載の発明は、請求項１又は２に記載の患者情報表示装置において、前記制御手段は、前記類似患者と前記検索対象患者との類似度に応じて、前記類似患者と前記検索対象患者とを結ぶ線の太さ、線種又は色を変更する。
【００１３】
請求項４に記載の発明は、請求項１から３のいずれか一項に記載の患者情報表示装置において、前記制御手段は、前記類似患者と前記検索対象患者とを結ぶ線の中から選択された線の両端の患者に対応する患者情報間の差異を前記表示手段に表示させる。
【００１４】
請求項５に記載の発明は、請求項１から４のいずれか一項に記載の患者情報表示装置において、前記表示手段に表示されている前記類似患者が前記検索対象患者と同一患者であることをユーザーが指示するための同一患者指示手段を備え、前記制御手段は、前記同一患者指示手段により、前記類似患者が前記検索対象患者と同一患者であることが指示された場合に、当該類似患者が前記検索対象患者と同一患者であることを示す情報を生成する。
【００１５】
請求項６に記載の発明は、請求項１から５のいずれか一項に記載の患者情報表示装置において、前記表示手段に表示されている前記類似患者が前記検索対象患者と別患者であることをユーザーが指示するための別患者指示手段を備え、前記制御手段は、前記別患者指示手段により、前記類似患者が前記検索対象患者と別患者であることが指示された場合に、当該類似患者が前記検索対象患者と別患者であることを示す情報を生成する。
【００１６】
請求項７に記載の発明は、複数の医療施設において各患者について生成された患者情報を記憶する記憶手段に記憶されている患者情報に対応する患者の中からユーザーによる検索対象患者の指定を受け付ける工程と、前記記憶手段に記憶されている患者情報に基づいて、前記検索対象患者と他の患者との類似度を算出し、当該算出された類似度に基づいて、前記検索対象患者と類似する類似患者を検索する工程と、前記検索対象患者を表示手段に表示させるとともに、前記類似患者を前記検索対象患者との類似度が高いほど前記検索対象患者の表示位置に近くなるように前記表示手段に表示させ、前記類似患者と前記検索対象患者とを結ぶ線を前記表示手段に表示させる工程と、を含む患者情報表示方法である。
【発明の効果】
【００１７】
本発明によれば、複数の医療施設において個々に生成された患者情報の中から同一患者のものを判断する際に、安全な患者検索を実現することができる。
【図面の簡単な説明】
【００１８】
【図１】患者情報表示装置の構成を示すブロック図である。
【図２】患者情報表示装置により実行される検索結果表示処理を示すフローチャートである。
【図３】検索結果テーブルの例である。
【図４】検索結果表示画面の例である。
【図５】（ａ）は、類似患者を検索対象患者に重ねる操作を説明するための図である。（ｂ）は、操作後の表示例である。
【図６】（ａ）は、類似患者を検索対象患者から遠ざける操作を説明するための図である。（ｂ）は、操作後の表示例である。
【図７】患者情報の表示例である。
【図８】患者情報間の差異の表示例である。
【発明を実施するための形態】
【００１９】
以下、本発明の一実施の形態について説明する。なお、本発明は、図示例に限定されるものではない。
【００２０】
図１に、患者情報表示装置１０の構成を示す。
患者情報表示装置１０は、制御部１１、操作部１２、表示部１３、通信部１４、ＲＡＭ（Random Access Memory）１５、記憶部１６等を備えて構成され、各部はバス１７により接続されている。
【００２１】
制御部１１は、ＣＰＵ（Central Processing Unit）等により構成され、記憶部１６に記憶されているシステムプログラムや各種処理プログラムを読み出し、ＲＡＭ１５内に形成されたワークエリアに展開し、当該プログラムに従って各部を制御する。
【００２２】
操作部１２は、カーソルキー、文字入力キー、及び各種機能キー等を備えたキーボードと、マウス等のポインティングデバイスを備えて構成され、キーボードに対するキー操作やマウス操作により入力された指示信号を制御部１１に出力する。また、操作部１２は、表示部１３を覆うように形成されたタッチパネルを含む構成であってもよい。
例えば、操作部１２は、記憶部１６に記憶されている患者情報に対応する患者の中からユーザーが検索対象患者を指定する際、表示部１３に表示されている類似患者が検索対象患者と同一患者であることをユーザーが指示する際、表示部１３に表示されている類似患者が検索対象患者と別患者であることをユーザーが指示する際に用いられる。すなわち、操作部１２は、指定手段、同一患者指示手段、別患者指示手段として機能する。
【００２３】
表示部１３は、ＬＣＤ（Liquid Crystal Display）等のモニターにより構成され、制御部１１から入力される表示信号の指示に従って、各種画面等を表示する。
【００２４】
通信部１４は、ＬＡＮ（Local Area Network）アダプター、ルーター、ＴＡ（Terminal Adapter）等を備え、通信ネットワークに接続された外部装置との間でデータの送受信を行う。
【００２５】
ＲＡＭ１５は、制御部１１により実行制御される各種処理において、記憶部１６から読み出された各種プログラム、入力若しくは出力データ、及びパラメーター等を一時的に格納するワークエリアを形成する。
【００２６】
記憶部１６は、ハードディスクや半導体の不揮発性メモリー等により構成される。記憶部１６は、制御部１１で実行されるシステムプログラムや各種処理プログラム、これらのプログラムの実行に必要なデータを記憶する。
【００２７】
記憶部１６には、患者検索処理プログラムＰ１、検索結果表示処理プログラムＰ２、患者データベース１６１が記憶されている。
患者検索処理プログラムＰ１は、患者データベース１６１に格納されている患者情報に基づいて、所定の検索条件に合致する患者を検索し、抽出する患者検索処理を実行させるためのプログラムである。
検索結果表示処理プログラムＰ２は、患者検索処理により検索された患者を、ユーザーが患者間の関連性を把握しやすいように、グラフィカルに表示する処理を実行させるためのプログラムである。
【００２８】
患者データベース１６１には、複数の医療施設において各患者について生成された患者情報が記憶されている。患者データベース１６１には、例えば、Ａ病院の患者データベース２０Ａから取得された患者情報、Ｂ病院の患者データベース２０Ｂから取得された患者情報、・・・、Ｘ病院の患者データベース２０Ｘから取得された患者情報が混在している。
患者情報は、複数の項目（要素）から構成される。例えば、患者情報には、患者の氏名（漢字・カナ・アルファベット）、生年月日、性別、住所、電話番号等が含まれる。
【００２９】
なお、患者データベース１６１において、各患者情報に、カルテ情報、検査画像、バイタル情報等の医療情報が対応付けられていることとしてもよい。医療情報は、当該医療情報と対応付けられている患者情報と同じ医療施設において生成されたものである。
【００３０】
制御部１１は、患者検索処理プログラムＰ１との協働により、患者データベース１６１に記憶されている患者情報に基づいて、検索対象患者と他の患者との類似度を算出し、当該算出された類似度に基づいて、検索対象患者と類似する類似患者を検索する。すなわち、制御部１１は、検索手段として機能する。
なお、類似患者には、検索対象患者と患者情報が完全に一致している患者も含まれる。
【００３１】
制御部１１は、検索結果表示処理プログラムＰ２との協働により、検索対象患者を表示部１３に表示させるとともに、類似患者を検索対象患者との類似度が高いほど検索対象患者の表示位置に近くなるように表示部１３に表示させる。ここで、「検索対象患者を表示させる」、「類似患者を表示させる」とは、少なくとも患者の氏名を表示させることをいう。患者の氏名については、漢字、カナ、アルファベット等、どのような表記を用いてもよい。さらに、患者の氏名に加えて、他の患者属性等を表示させることとしてもよい。
制御部１１は、表示部１３に表示されている検索対象患者及び類似患者の中から、ユーザーにより選択された患者に対応する患者情報を表示部１３に表示させる。例えば、ユーザーは、表示部１３に表示されている患者の中から、いずれかの患者の上にマウスポインターを移動（Hovering）させる操作や、患者をタッチする操作等により、患者を選択する。
【００３２】
制御部１１は、類似患者と検索対象患者とを結ぶ線を表示部１３に表示させる。
制御部１１は、類似患者と検索対象患者との類似度に応じて、類似患者と検索対象患者とを結ぶ線の太さ、線種又は色を変更する。
制御部１１は、類似患者と検索対象患者とを結ぶ線の中から、ユーザーにより選択された線の両端の患者に対応する患者情報間の差異を表示部１３に表示させる。例えば、ユーザーは、表示部１３に表示されている線の中から、いずれかの線の上にマウスポインターを移動させる操作や、線をタッチする操作等により、線を選択する。
【００３３】
制御部１１は、操作部１２により、類似患者が検索対象患者と同一患者であることが指示された場合に、当該類似患者が検索対象患者と同一患者であることを示す情報を生成する。
例えば、制御部１１は、操作部１２から、表示部１３に表示されている類似患者を検索対象患者に重ねる操作又は近付ける操作の指示を受け付けると、検索対象患者に重ねられた類似患者又は近付けられた類似患者を、検索対象患者と同一患者として扱う。
【００３４】
制御部１１は、操作部１２により、類似患者が検索対象患者と別患者であることが指示された場合に、当該類似患者が検索対象患者と別患者であることを示す情報を生成する。
例えば、制御部１１は、操作部１２から、表示部１３に表示されている類似患者を検索対象患者から遠ざける操作の指示を受け付けると、検索対象患者から遠ざけられた類似患者を、検索対象患者と別患者として扱う。
【００３５】
次に、患者情報表示装置１０における動作について説明する。
図２は、患者情報表示装置１０により実行される検索結果表示処理を示すフローチャートである。この処理は、制御部１１と記憶部１６に記憶されているプログラムとの協働によるソフトウェア処理によって実現される。
【００３６】
まず、制御部１１は、ユーザーの操作部１２からの操作により、患者データベース１６１に患者情報が記憶されている患者の中から検索対象患者の指定を受け付ける（ステップＳ１）。
【００３７】
次に、制御部１１は、患者データベース１６１に記憶されている患者情報に基づいて、検索対象患者と類似する類似患者を検索する（ステップＳ２）。
【００３８】
ここで、類似患者の検索方法について説明する。
例えば、患者情報のうち、患者の氏名（漢字・カナ・アルファベット）、生年月日、性別の５項目を用いる。患者情報の５項目に対して、ペナルティー値が、氏名（漢字）については「５」、氏名（カナ）については「１」、氏名（アルファベット）については「１」、生年月日については「３」、性別については「１」と設定されている。
【００３９】
制御部１１は、検索対象患者と他の患者との間で患者情報を項目毎に比較し、不一致だった項目のペナルティー値を基準値「１」に加算し、加算結果の逆数を取り、患者間の類似度を算出する。
例えば、患者間で氏名（カナ）、氏名（アルファベット）、性別は一致しているが、氏名（漢字）と生年月日が不一致だった場合には、類似度は、以下のように求められる。
類似度＝１／｛基準値＋氏名（漢字）のペナルティー値＋生年月日のペナルティー値｝
＝１／（１＋５＋３）
＝０．１１
【００４０】
また、患者間で氏名（漢字）、生年月日、性別は一致しているが、氏名（カナ）、氏名（アルファベット）が不一致だった場合には、類似度は、以下のように求められる。
類似度＝１／｛基準値＋氏名（カナ）のペナルティー値＋氏名（アルファベット）のペナルティー値｝
＝１／（１＋１＋１）
＝０．３３
【００４１】
このように、制御部１１は、検索対象患者と他の患者との間で類似度を算出し、類似度が所定の値以上の患者を類似患者として抽出する。
なお、類似患者を検索する際に比較対象とする項目は、上記の例に限定されない。
【００４２】
図３に、ステップＳ２の処理により生成された検索結果テーブル１５１の例を示す。検索結果テーブル１５１は、ＲＡＭ１５に記憶される。検索結果テーブル１５１には、「佐藤勝」という患者を検索対象患者３０として類似患者３１〜３５を抽出した結果が格納されている。具体的には、検索結果テーブル１５１には、検索対象患者３０及び類似患者３１〜３５の患者情報と、類似患者３１〜３５における検索対象患者３０との類似度と、が含まれる。
【００４３】
また、検索結果テーブル１５１には、各類似患者３１〜３５に対して同一フラグが対応付けられている。同一フラグは、類似患者３１〜３５に対するユーザーの判断結果を示すものである。同一フラグの初期値は「０」であり、ユーザーの判断により値が変更される。各類似患者３１〜３５が検索対象患者３０と同一患者であると判断された場合には、同一フラグは「１」となり、各類似患者３１〜３５が検索対象患者３０と別患者であると判断された場合には、同一フラグは「２」となる。
【００４４】
次に、制御部１１は、検索対象患者を表示部１３に表示させるとともに、検索された一又は複数の類似患者を検索対象患者との類似度に応じた距離で表示部１３に表示させる（ステップＳ３）。具体的には、制御部１１は、検索対象患者との類似度が高いほど、検索対象患者の表示位置に近くなるように、類似患者を配置する。また、制御部１１は、検索対象患者との類似度が高いほど、類似患者と検索対象患者とを結ぶ線を太くする。また、制御部１１は、検索対象患者との類似度が高いほど、類似患者を表示する際のノードの大きさを大きくする。また、制御部１１は、類似患者と検索対象患者との類似度に応じて、類似患者と検索対象患者とを結ぶ線の線種や色を変えることとしてもよい。
【００４５】
図４に、表示部１３に表示される検索結果表示画面１３１の例を示す。検索結果表示画面１３１には、検索対象患者３０の周囲に類似患者３１〜３５が表示されている。また、類似患者３１〜３５は、それぞれ、検索対象患者３０と線Ｌ１〜Ｌ５で接続されている。
「佐藤勝」という類似患者３１は、類似患者３１〜３５のうち最も検索対象患者３０との類似度が高いため、検索対象患者３０の最も近くに配置されており、線Ｌ１は太い実線で示されている。
図４の例では、「佐藤勝」という類似患者３１、「Sato Masaru」という類似患者３２、「Satou Masaru」という類似患者３３、「サトウカツ」という類似患者３４、「伊藤勝」という類似患者３５の順に類似度が低くなっている。
【００４６】
なお、同一患者であるか否かの判断は、ユーザーの目視確認に基づくことを前提としているため、類似患者の患者情報が検索対象患者の患者情報と完全に一致していたとしても、始めから類似患者を検索対象患者と重ねた状態で表示させることがないようにする。
【００４７】
次に、制御部１１は、ユーザーにより操作部１２から、表示部１３に表示されている類似患者を検索対象患者に重ねる操作が行われたか否かを判断する（ステップＳ４）。つまり、制御部１１は、ユーザーにより類似患者が検索対象患者と同一患者であることが指示されたか否かを判断する。
【００４８】
類似患者を検索対象患者に重ねる操作が行われた場合には（ステップＳ４；ＹＥＳ）、制御部１１は、操作対象とされた類似患者を検索対象患者と同一患者とする（ステップＳ５）。具体的には、制御部１１は、ＲＡＭ１５に記憶されている検索結果テーブル１５１の類似患者のうち、ユーザーにより検索対象患者と同一患者であると判断された類似患者に対応する同一フラグを「１」に変更する。つまり、同一フラグを「１」へと変更することが、操作対象の類似患者が検索対象患者と同一患者であることを示す情報を生成することに相当する。
【００４９】
図５（ａ）は、図４に示す検索結果表示画面１３１の検索対象患者３０と類似患者３２を部分的に抜き出した図である。例えば、ユーザーが操作部１２を操作し、マウスポインターを類似患者３２の上に置いた状態でマウスの左ボタンを押下し、検索対象患者３０と重ねるように移動させ、検索対象患者３０の上で左ボタンを離すと、図５（ｂ）に示すように、類似患者３２は検索対象患者３０と一部が重なるように表示される。また、類似患者３２のノードの大きさは、図５（ａ）と比較して、より大きくなる。
【００５０】
また、制御部１１は、検索対象患者と類似患者との関連性が強くなったとして、両者を結ぶ線の太さを太くし、線の色をより濃い色とすることとしてもよい。
これらの表示上の変更により、ユーザーは、ユーザーの判断で検索対象患者と類似患者との関連性が変化したことを把握することができる。
【００５１】
次に、制御部１１は、ユーザーによる同一患者の判断結果に伴い、検索条件を変更して（ステップＳ６）、ステップＳ２に戻る。具体的には、制御部１１は、ユーザーが同一患者であると判断した類似患者と検索対象患者との差異については、同様の差異があっても抽出対象となるように、検索条件を変更する。例えば、「佐藤勝」という検索対象患者に対して「伊藤勝」という類似患者が同一患者であると判断された場合には、「伊藤勝」も抽出対象となるように検索条件が変更される。
【００５２】
ステップＳ４において、類似患者を検索対象患者に重ねる操作が行われない場合には（ステップＳ４；ＮＯ）、制御部１１は、ユーザーにより操作部１２から、表示部１３に表示されている類似患者を検索対象患者から遠ざける操作が行われたか否かを判断する（ステップＳ７）。つまり、制御部１１は、ユーザーにより類似患者が検索対象患者と別患者であることが指示されたか否かを判断する。
【００５３】
類似患者を検索対象患者から遠ざける操作が行われた場合には（ステップＳ７；ＹＥＳ）、制御部１１は、操作対象とされた類似患者を検索対象患者と別患者とする（ステップＳ８）。具体的には、制御部１１は、ＲＡＭ１５に記憶されている検索結果テーブル１５１の類似患者のうち、ユーザーにより検索対象患者と別患者であると判断された類似患者に対応する同一フラグを「２」に変更する。つまり、同一フラグを「２」へと変更することが、操作対象の類似患者が検索対象患者と別患者であることを示す情報を生成することに相当する。
【００５４】
次に、制御部１１は、類似患者と検索対象患者とを結ぶ線の太さ・線種・色を変更する（ステップＳ９）。具体的には、制御部１１は、検索対象患者と類似患者との関連性が弱くなったとして、両者を結ぶ線の太さを細くし、線種を実線から破線に変更し、線の色をより薄い色とする。
これらの表示上の変更により、ユーザーは、ユーザーの判断で検索対象患者と類似患者との関連性が変化したことを把握することができる。
【００５５】
図６（ａ）は、図４に示す検索結果表示画面１３１の検索対象患者３０と類似患者３４を部分的に抜き出した図である。例えば、ユーザーが操作部１２を操作し、マウスポインターを類似患者３４の上に置いた状態でマウスの左ボタンを押下し、検索対象患者３０から遠ざけるように移動させ、移動後に左ボタンを離すと、図６（ｂ）に示すように、類似患者３４は検索対象患者３０から、より離れた位置に配置される。また、類似患者３４と検索対象患者３０を結ぶ線Ｌ４は、実線から破線に変更され、類似患者３４のノードの大きさは、図６（ａ）と比較して、より小さくなる。
【００５６】
ステップＳ７において、類似患者を検索対象患者から遠ざける操作が行われない場合には（ステップＳ７；ＮＯ）、制御部１１は、ユーザーにより操作部１２から、表示部１３に表示されている患者の中からいずれかの患者を選択する操作が行われたか否かを判断する（ステップＳ１０）。選択される患者は、類似患者であってもよいし、検索対象患者であってもよい。
【００５７】
患者を選択する操作が行われた場合には（ステップＳ１０；ＹＥＳ）、制御部１１は、選択された患者に対応する患者情報を表示部１３に表示させる（ステップＳ１１）。
【００５８】
例えば、図７に示すように、検索結果表示画面１３２において、ユーザーが操作部１２を操作し、類似患者３３の上にマウスポインターＭＰを移動させると、類似患者３３の患者情報４０が表示される。
【００５９】
ステップＳ１０において、患者を選択する操作が行われない場合には（ステップＳ１０；ＮＯ）、制御部１１は、ユーザーにより操作部１２から、表示部１３に表示されている患者間の線（類似患者と検索対象患者とを結ぶ線）の中からいずれかの線を選択する操作が行われたか否かを判断する（ステップＳ１２）。
【００６０】
患者間の線を選択する操作が行われた場合には（ステップＳ１２；ＹＥＳ）、制御部１１は、選択された線の両端の患者に対応する患者情報間の差異を表示部１３に表示させる（ステップＳ１３）。
【００６１】
例えば、図８に示すように、検索結果表示画面１３３において、ユーザーが操作部１２を操作し、類似患者３４と検索対象患者３０とを結ぶ線Ｌ４の上にマウスポインターＭＰを移動させると、類似患者３４の患者情報と検索対象患者３０の患者情報との差異を示す差異情報５０が表示される。図８に示す例では、差異情報５０として、検索対象患者３０と類似患者３４について、患者の氏名（カナ）と性別が表示されている。
【００６２】
ステップＳ１２において、患者間の線を選択する操作が行われない場合には（ステップＳ１２；ＮＯ）、制御部１１は、操作が終了したか否かを判断する（ステップＳ１４）。例えば、制御部１１は、全ての類似患者に対して、検索対象患者と同一患者であるか、別患者であるかのユーザーによる判断が終了した場合には、操作が終了したと判断する。
ステップＳ９の後、ステップＳ１１の後、ステップＳ１３の後、又は、ステップＳ１４において、操作が終了しない場合には（ステップＳ１４；ＮＯ）、ステップＳ４に戻り、処理が繰り返される。
【００６３】
ステップＳ１４において、操作が終了した場合には（ステップＳ１４；ＹＥＳ）、検索結果表示処理が終了する。
【００６４】
制御部１１は、ＲＡＭ１５に記憶されている検索結果テーブル１５１の類似患者のうち、同一フラグが「１」である類似患者、すなわち、ユーザーが検索対象患者と同一患者であると判断した類似患者に対応する患者情報を、検索対象患者に対応する患者情報とともに出力する。出力先は、患者情報表示装置１０内のソフトウェアであってもよいし、外部装置であってもよい。
具体的には、制御部１１は、同一患者であると判断された検索対象患者と類似患者の患者情報（各患者情報に対応付けられている医療情報を含む。）を対応付けて、それ以降の処理で使用可能とする。例えば、異なる医療施設で行われた検査結果を参照したり、複数の医療施設に跨って診断された過去の病状の経過を参照したりすることができる。
【００６５】
以上説明したように、本実施の形態の患者情報表示装置１０によれば、複数の医療施設において個々に生成された患者情報の中から同一患者のものを判断する際に、安全な患者検索を実現することができる。類似患者を検索対象患者との類似度が高いほど検索対象患者の表示位置に近くなるように表示させるので、ユーザーは、患者間の関連性を感覚的に把握しやすくなる。
【００６６】
また、表示部１３に表示されている検索対象患者及び類似患者の中から、ユーザーにより選択された患者に対応する患者情報を表示部１３に表示させるので、各患者に対応する患者情報を容易に確認することができる。
【００６７】
また、類似患者と検索対象患者との類似度に応じて、類似患者と検索対象患者とを結ぶ線の太さ、線種又は色を変更することで、ユーザーは、患者間の関連性を、より認識しやすくなる。
また、類似患者と検索対象患者とを結ぶ線の中から、ユーザーにより選択された線の両端の患者に対応する患者情報間の差異を表示部１３に表示させるので、類似患者と検索対象患者に対応する患者情報間の差異を容易に確認することができる。
【００６８】
また、ユーザーの判断で、類似患者が検索対象患者と同一患者であること、類似患者が検索対象患者と別患者であることを指示することができる。
【００６９】
なお、上記実施の形態における記述は、本発明に係る患者情報表示装置の例であり、これに限定されるものではない。装置を構成する各部の細部構成及び細部動作に関しても本発明の趣旨を逸脱することのない範囲で適宜変更可能である。
【００７０】
例えば、類似患者が検索対象患者と同一患者であるとユーザーが判断した場合に、類似患者を検索対象患者に重ねたり、近付けたりする操作に代えて、検索対象患者と類似患者とを矩形等で囲むことで、同一患者であることを指示することとしてもよい。
【００７１】
また、類似患者と検索対象患者との間で患者情報を項目毎に比較し、患者氏名の漢字は異なるが読み方（カナ）は同じである場合や、患者氏名は同一だが住所が異なる場合等で、類似患者と検索対象患者とを結ぶ線の色を変えることとしてもよい。
【００７２】
また、上記実施の形態では、患者データベース１６１が装置内部にある場合について説明したが、装置外部の患者データベースから患者情報を取得することとしてもよい。
【符号の説明】
【００７３】
１０  患者情報表示装置
１１  制御部
１２  操作部
１３  表示部
１６  記憶部
３０  検索対象患者
３１〜３５  類似患者
１６１  患者データベース
Ｌ１〜Ｌ５  線
【図１】
0006696305.tif 000002
【図２】
0006696305.tif 000003
【図３】
0006696305.tif 000004
【図４】
0006696305.tif 000005
【図５】
0006696305.tif 000006
【図６】
0006696305.tif 000007
【図７】
0006696305.tif 000008
【図８】
0006696305.tif 000009